(57)【要約】【課題】上面に安定して立て正座しても足が痛くならず、火災発生の予防ができ、更に、夏冬で面倒な保管・交換作業を不要とした防炎敷き物を提供する。【解決手段】防炎機能をそれぞれ有する表地２と裏地３とを重ね合わせて袋状に成形され、周縁に開閉手段４により開閉自在に開口できる出入口５が開設されるカバー体１と、所定の厚みのクロロプレンゴム板から成形され前記カバー体１とほぼ同じ大きさを有するクッション材６とからなり、前記クッション材６を前記出入口５を介し前記表地２と裏地３との間に介装した。【選択図】図２
2005058747.tif 000002
【特許請求の範囲】
【請求項１】
防炎機能をそれぞれ有する表地と裏地とを重ね合わせて袋状に成形され、周縁に開閉手段により開閉自在に開口できる出入口が開設されるカバー体と、所定の厚みのクロロプレンゴム板から成形され前記カバー体とほぼ同じ大きさを有するクッション材とからなり、前記クッション材を前記出入口を介し前記表地と裏地との間に介装したことを特徴とする防炎敷き物。
【請求項２】
少なくとも表地が防炎機能を有し、前記表地と裏地とを重ね合わせて袋状に成形され、周縁に開閉手段により開閉自在に開口できる出入口が開設されるカバー体と、金属製の薄板の表面に所定の厚みのクロロプレンゴム板を貼着して成形され前記カバー体とほぼ同じ大きさを有するクッション材とからなり、前記クッション材を前記出入口を介しクロロプレンゴム板が表地側に位置するようにして前記表地と裏地との間に介装したことを特徴とする防炎敷き物。
【請求項３】
防炎機能をそれぞれ有する表地と裏地の一方が冷感素材により構成されると共に他方が温感素材により構成され、前記表地と裏地とを重ね合わせて袋状をなし周縁に開閉手段により開閉自在に開口できる出入口を開設して成形されるカバー体と、金属製の薄板の表裏両面に所定の厚みのクロロプレンゴム板を貼着して成形され前記カバー体とほぼ同じ大きさを有するクッション材とからなり、前記クッション材を前記出入口を介して前記表地と裏地との間に介装したことを特徴とする防炎敷き物。
【請求項４】
所定の厚みのクロロプレンゴム板からなるクッション材と、防炎機能を有し前記クッション材の表面に該表面を覆うように重着される表地と、同じく防炎機能を有し前記クッション材の裏面に重着される裏地材とからなることを特徴とする防炎敷き物。
【請求項５】
所定の厚みのクロロプレンゴム板の裏面に該クロロプレンゴム板とほぼ同じ大きさを有する金属性の薄板を貼着して成形されるクッション材と、防炎機能を有し前記クロロプレンゴム板の表面に該表面を覆うように重着される表地と、同じく防炎機能を有し前記金属性の薄板の裏面に重着される裏地材とからなることを特徴とする防炎敷き物。
【請求項６】
防炎機能を有し袋状に成形されると共に一側縁に出入口が開設され、表地の出入口側は該出入口よりも外側へ延出して折返し部が成形されるカバー体と、少なくとも所定の厚みのクロロプレンゴム板を有し前記カバー体とほぼ同じ大きさに成形されるクッション材とからなり、前記クッション材を前記出入口を介し前記カバー体内に収納した状態で前記折返し部を前記カバー体の裏側へ折り曲げるようにしたことを特徴とする防炎敷き物。
【請求項７】
前記クロロプレンゴム板の表面に、その周縁に沿って中央部を囲うように所定高さの突条部を設けた請求項６記載の防炎敷き物。
【発明の詳細な説明】
【技術分野】
【０００１】
本発明は、上面に安定して立つことができまた正座して座っても疲れることがなく、しかも線香やろうそく等の火種が落ちて起こる火災発生、及び敷布団といった寝具の上面に配置され寝タバコによる火災発生を予防することができる防炎敷き物に関するものである。
【背景技術】
【０００２】
一般に、仏壇が据置される日本間では、仏壇前の畳みに敷物として座布団が敷かれている。通常、お経を読む時間が長く掛かることからその間正座していても足が痛くならないように、例えば上下の外袋間に内袋を介装した三重構造からなり、外袋内に羽毛を充填すると共に内袋内に高密度のポリエステル繊維わたを充填した比較的厚くふっくらとした見栄えの良い座布団が使用されている（例えば特許文献１参照。）。一方、仏壇にはお供え物を供えると共に燭台に線香やろうそくを立て、これらに火を付けてお参りするようにしている。お参りが済んでも線香やろうそくの火が燃え尽きずに残っている場合は、消してしまうと寂しくなるという思いから、火を灯したままその場を離れる場合が多い。
【特許文献１】特開２０００−２７９２７８号公報（第２頁、図２）
【発明の開示】
【発明が解決しようとする課題】
【０００３】
しかしながら、通常、お参りするのはお年寄りといった高齢者が多く、おぼつかない足で厚い座布団の上に乗ると足元が不安定になってバランスを崩し転倒して怪我をするといった危険性がある。また、線香やろうそくが不安定な状態で保持されていると、その場を離れた後に火の付いたままの線香またはろうそくが倒れて座布団や畳の上に落下し、ともすると座布団や畳を焦がすばかりか火が広がって火災を招くといった危険性が叫ばれている。更に、前記座布団は夏季用と冬季用の二種類用意され、季節に応じて使い分けしている場合が多いが、これは座布団の保管・交換作業が面倒であるという課題が有る。
【０００４】
そこで、本発明は前記課題を解決すべくなされたもので、座布団を使用することなく、上面に安定して立つことができまた正座して長く座っていても足が痛くならず、しかも、火の付いたままの線香やろうそくが転倒し落下しても、その消火を早め火災発生を予防することができ、更に、夏冬での面倒な保管・交換作業を不要とした防炎敷き物を提供することを目的とするものである。
【課題を解決するための手段】
【０００５】
かかる目的を達成するため、本発明に係る防炎敷き物は、防炎機能をそれぞれ有する表地と裏地とを重ね合わせて袋状に成形され、周縁に開閉手段により開閉自在に開口できる出入口が開設されるカバー体と、所定の厚みのクロロプレンゴム板から成形され前記カバー体とほぼ同じ大きさを有するクッション材とからなり、前記クッション材を前記出入口を介し前記表地と裏地との間に介装した。
【０００６】
または、本発明に係る防炎敷き物は、少なくとも表地が防炎機能を有し、前記表地と裏地とを重ね合わせて袋状に成形され、周縁に開閉手段により開閉自在に開口できる出入口が開設されるカバー体と、金属製の薄板の表面に所定の厚みのクロロプレンゴム板を貼着して成形され前記カバー体とほぼ同じ大きさを有するクッション材とからなり、前記クッション材を前記出入口を介しクロロプレンゴム板が表地側に位置するようにして前記表地と裏地との間に介装しても良い。
【０００７】
更に、防炎機能をそれぞれ有する表地と裏地の一方が冷感素材により構成されると共に他方が温感素材により構成され、前記表地と裏地とを重ね合わせて袋状をなし周縁に開閉手段により開閉自在に開口できる出入口を開設して成形されるカバー体と、金属製の薄板の表裏両面に所定の厚みのクロロプレンゴム板を貼着して成形され前記カバー体とほぼ同じ大きさを有するクッション材とからなり、前記クッション材を前記出入口を介して前記表地と裏地との間に介装しても良い。
【０００８】
更にまた、本発明に係る防炎敷き物は、所定の厚みのクロロプレンゴム板からなるクッション材と、防炎機能を有し前記クッション材の表面に該表面を覆うように重着される表地と、同じく防炎機能を有し前記クッション材の裏面に重着される裏地材とからなるようにしても良い。
【０００９】
この場合、クッション材は、所定の厚みのクロロプレンゴム板の裏面に該クロロプレンゴム板とほぼ同じ大きさを有する金属性の薄板を貼着して成形することが好ましい。
【００１０】
最後に、本発明に係る防炎敷き物は、防炎機能を有し袋状に成形されると共に一側縁に出入口が開設され、表地の出入口側は該出入口よりも外側へ延出して折返し部が成形されるカバー体と、少なくとも所定の厚みのクロロプレンゴム板を有し前記カバー体とほぼ同じ大きさに成形されるクッション材とからなり、前記クッション材を前記出入口を介し前記カバー体内に収納した状態で前記折返し部を前記カバー体の裏側へ折り曲げるようにしても良い。
【００１１】
この場合は、前記クロロプレンゴム板の表面に、その周縁に沿って中央部を囲うように所定高さの突条部を設けることが好ましい。
【発明の効果】
【００１２】
請求項１記載の発明によれば、クッション材のクロロプレンゴム板が適度に硬くしかも弾力性に富むことから、足のおぼつかない老人が乗っても安定して立つことができバランスを崩して転倒するといった事故が減少され、また、表・裏地及び内部のクッション材がそれぞれ防炎機能を有することから、線香やろうそくが防炎敷き物の表面に落ちても燃え広がるのを防ぎ火災の発生を予防できるという効果がある。
【００１３】
請求項２記載の発明によれば、請求項１記載の効果に加え、金属製の薄板が燃え広がる炎の畳への延焼を防ぐことから、火災発生の予防効果が向上するという効果がある。
【００１４】
請求項３記載の発明によれば、請求項１及び請求項２記載の効果に加え、夏用と冬用でリバーシブルに使い分けできることから、夏冬兼用機能が持たせられ季節の変わり目における保管・交換作業を不要にでき、経済的で使い勝手も良いという効果がある。
【００１５】
請求項４記載の発明によれば、表地とクッション材と裏地材とを重ね合わせたという簡単な構成であるから、成形が簡単であって製作コストが低廉になし得るという効果がある。
【００１６】
請求項５記載の発明によれば、請求項４記載の効果に加え、金属製の薄板が燃え広がる炎の畳への延焼を防ぐことから、火災発生の予防効果が向上するという効果がある。
【００１７】
請求項６記載の発明は、敷布団といった寝具特にその上半部位の上面に配置して使用するものである。そして、カバー体及び内部のクッション材がそれぞれ防炎機能を有することから、寝タバコによるタバコが防炎敷き物の表面に落ちても燃え広がるのを防ぎ火災の発生を予防できる。また、折返し部を捲るのみで出入口からクッション材が引き出せることから、クッション材の出し入れが楽であり、カバー体の交換・洗濯が容易に行なえるという効果が有る。
【００１８】
請求項７記載の発明は、請求項６記載の発明において、クロロプレンゴム板の表面にその周縁に沿って中央部を囲うように所定高さの突条部を設けるようにしている。よって、請求項６記載の効果に加え、仮に、防炎敷き物の上面に火の付いたままのタバコが落ちたとしても、前記突条部により防炎敷き物から外に転げ落ちることは防止される。これにより、畳などの上面にタバコが落ちて畳を焦がしたり、または、火災を発生させるといった事故を予防できるという効果が有る。
【発明を実施するための最良の形態】
【００１９】
以下本発明に係る防炎敷き物について図面に基づき説明する。第一実施の形態に係る防炎敷き物Ａ１は、例えば日本間の畳の上であって仏壇の前、一般の畳部屋等の線香、ろうそくまたはタバコ等の火種が落ち易い適宜場所に敷いて使用されるが、本発明にあっては、日本間の畳の上であって仏壇の前に敷く場合について説明する。図１は第一実施の形態に係る防炎敷き物の斜視図、図２は同防炎敷き物の側面断面図である。
【００２０】
第一実施の形態に係る防炎敷き物Ａ１は、例えば縦１２００ｍｍ、横９００ｍｍの方形状に成形される。そして、防炎機能を有する織物製の表地２と裏地３とを重ね合わせ周縁を一体に縫着すると共にその周縁、周囲四辺の内長い一辺を除き残りの三辺、に開閉手段であるファスナー４により開閉自在に開口できる出入口５を開設して袋状のカバー体１が成形される。一方、表地２又は裏地３間には、前記カバー体１とほぼ同じ大きさを有するクッション材６が内装される。クッション材６は、図３に示すように所定の厚みとして３ｍｍ〜１０ｍｍの厚さを有するクロロプレンゴム板７をカバー体１とほぼ同じ大きさにして成形される。
【００２１】
前記表地２又は裏地３は綿又は合成繊維等の一般の織物によって成形され、表地２及び裏地３にそれぞれ防炎処理を施して防炎機能が持たせられる。防炎処理は、例えば繊維に防炎剤を含有させたり、繊維を織った後に防炎剤の塗液に該繊維を浸漬することによりなされる。また、本来防炎機能を有する素材、例えばアクリル系や難燃ポリエステル繊維、メタ系アラミド繊維などの防炎繊維を使った織物製の表地２又は裏地３はそのまま使用される。クロロプレンゴム板７は、例えば、硬度（ＳＲＩＳ０１０１）２５±５、引張強さ（ＪＩＳ  Ｋ６２５１）０．４９ＭＰａ以上、伸び（ＪＩＳ  Ｋ６２５１）１５０％以上、見掛け密度（ＳＲＩＳ０１０１）０．１９±０．０３ｇ／ｃｍ３、圧縮永久歪（ＡＳＴＭＤ１０５６）３０％以下、熱収縮率（７０℃×４ｈ）１．５％以下、吸水率（ＡＳＴＭ  Ｄ１０５６）５％以下、２５％圧縮荷重（ＡＳＴＭ  Ｄ１０５６）６１．９〜９３．２ｋＰａのものが使用され、軽量・強靭性、断熱性、非吸水性、緩衝性、耐候性、難燃性に優れる。
【００２２】
第一実施の形態に係る防炎敷き物Ａ１は上記構成からなり、次に使用方法について説明する。図４は畳Ｆが敷かれた一般家屋の日本間であって、一側に仏間Ｍが設けられ、該仏間Ｍに仏壇Ｄが据置されている。仏壇Ｄには両側に観音開き式の扉Ｔ，Ｔが開閉自在に装着され、その中にお仏像Ｂ、位牌Ｉが飾られている。また、仏壇Ｄの前側には第一実施の形態に係る防炎敷き物Ａ１が短い寸法の側縁を仏壇Ｄ側に寄せ、表地２を上にして敷設されている。そして、その上面に燭台Ｃが配置され、燭台Ｃの上面に一側から花瓶Ｌ、線香立てＧ、ろうそく立てＪおよび鈴Ｎが載置されている。花瓶Ｌには花Ｅが立てられ、線香立てＧには線香Ｓが立てられ、ろうそく立てＪにはろうそくＲが立てられている。ただ、前記防炎敷き物Ａ１の上面に一般の厚い座布団を敷く必要はない。
【００２３】
そこで、例えばお年寄りは、直接第一実施の形態に係る防炎敷き物Ａ１の上面に乗って燭台Ｃの前に座り線香ＳとろうそくＲに火を付けてお参りを務めることになる。この際、第一実施の形態に係る防炎敷き物Ａ１は、クロロプレンゴム板７の厚み、すなわち３〜１０ｍｍの厚み、を合わせほぼ１０ｍｍほどしかないので、お年寄りが立って乗っても足をとられるほど深く嵌り込むことはなく安定して立て、バランスを崩してお年寄りが転倒するようなことがない。しかも、クロロプレンゴム板７は、適度に硬くしかも弾力性に富み適度なクッション性を持つことから正座して長く座っていても足が痛くなることがなく最適に使用できる。お参りが終わればその場を離れることになるが、この場合、仮に火の付いたままの線香ＳまたはろうそくＲを消し忘れ、しかも、何かの拍子で線香ＳまたはろうそくＲが倒れて第一実施の形態に係る防炎敷き物Ａ１の上面に落ちたとしても、防炎機能を有することから延焼が広がって火災の発生するおそれはない。
【００２４】
以下、他の実施の形態に係る防炎敷き物を順に説明するが、これら防炎敷き物は第一実施の形態に係る防炎敷き物Ａ１とほぼ同じ構成及び作用・効果を有するので、同一部位は同一番号を付し詳しい説明は省略すると共に同じ作用効果も生ずるという説明も省略する。図５は、第二実施の形態に係る防炎敷き物Ａ２を示すもので、例えば縦１２００ｍｍ、横９００ｍｍの方形状に成形される。第二実施の形態に係る防炎敷き物Ａ２は、少なくとも表地２ａに防炎機能が持たせられ、該表地２ａと裏地３ａとを重ね合わせて袋状に成形されるカバー体１ａとその中に介装されるクッション材６ａとからなる。クッション材６ａは、図６に示すように前記カバー体１ａとほぼ同じ大きさを有し、金属製の薄板８の一側面（例えば、表面）のみに３〜１０ｍｍの厚みのクロロプレンゴム板７を貼着して成形される。そして、前記クッション材６ａが前記出入口５を介しクロロプレンゴム板７が表地２ａ側に位置するようにして前記表地２ａと裏地３ａとの間に介装される。
【００２５】
第二実施の形態に係る防炎敷き物Ａ２では、金属製の薄板８として例えば５０μの厚さを有するアルミニウムまたは銅板が使用される。このように、金属製の薄板８が敷設されることにより、火の付いたままの線香ＳまたはろうそくＪが第二実施の形態に係る防炎敷き物Ａ２の表面に落下し、仮に燃え広がったとしても、一部に留まり畳Ｆまで大きく延焼することはほとんどない。この場合、防炎機能を有するのは表地２ａだけでもよいが、できれば表地２ａ及び裏地３ａ共に有する方が良い。
【００２６】
図７（イ）（ロ）は第三実施の形態に係る防炎敷き物Ａ３を示すものである。図７（イ）は第三実施の形態に係る防炎敷き物の表側から見た斜視図、図７（ロ）は第三実施の形態に係る防炎敷き物の裏側から見た斜視図である。この実施の形態に係る防炎敷き物Ａ３も例えば縦１２００ｍｍ、横９００ｍｍの方形状に成形される。また、防炎機能を有する表地２ｂが冷感素材により構成され、同じく防炎機能を有する裏地３ｂが温感素材により構成されている。そして、前記表地２ｂと裏地３ｂとを重ね合わせて袋状に成形すると共に周縁に開閉手段であるファスナー４により開閉自在に開口できる出入口５を開設してカバー体１ｂが成形される。冷感素材である表地２ｂは、例えば畳表、合成畳表、籐を編んだものが選ばれる。これらは外気温の影響による温度変化が小さく抑えられ接触時に冷感を与えられ通気性、吸湿性に富むことから、座った時に冷感を与えられる。また、温感素材である裏地３ｂは、例えばシルク、ポリエステル繊維織物、ポリアクリル繊維織物が選ばれ、本来、難燃性に富むものは防炎処理を施すことなくそのまま使用することができる。これらは外気温の影響による温度変化が小さく抑えられ保温性に富むことから、座った時に温度感が高められる。
【００２７】
季節により表地２ｂ、裏地３ｂのいずれも上側にして第三実施の形態に係る防炎敷き物Ａ３を使用することから、クッション材６ｂは図８に示すように表地２ｂと裏地３ｂ間に金属製の薄板８の上下両面に３ｍｍ〜１０ｍｍの厚みのクロロプレンゴム板７，７を接着剤により貼着して成形される。そして、このクッション材６ｂを出入口５を介し前記表地２ｂと裏地３ｂとの間に介装する。
【００２８】
そして、このように構成される第三実施の形態に係る防炎敷き物Ａ３は、表地２ｂと裏地３ｂとを夏と冬とでリバーシブルに使い分けして使用される。このようにすれば、第一実施の形態に係る防炎敷き物Ａ１と同様に立ったときの安定性や防炎機能が発揮されるばかりでなく、暑い夏でもまた寒い冬でも比較的快適に使用でき不快感を味わうようなことがない。しかも、季節の変わり目における保管・交換作業を不要にでき経済的で使い勝手も良い。
【００２９】
図９は第四実施の形態に係る防炎敷き物を示すものである。第四実施の形態に係る防炎敷き物Ａ４は、第一実施の形態に係る防炎敷き物Ａ１を２枚横に並べた大きさからなり、カバー体１ｃの横寸法が１８００ｍｍ、縦寸法が１２００ｍｍの大きさを有する。これは例えば仏壇Ｄが大きく横幅寸法が通常のものよりも一回り大きい場合に使用されるものである。そして、表地２ｃと裏地３ｃとが重ね合わされ、その長手方向の中央が短手方向に沿って直線的に接着又は縫着することにより固着されている。また、両側の外周縁はそれぞれ出入口５，５となっており、各出入口５には第一実施の形態と同様に開閉自在なファスナー４が設けられている。そして、左右の表地２ｃと裏地３ｃとの間にそれぞれ第一実施の形態に係る防炎敷き物Ａ１と同じクロロプレンゴム板７からなるクッション材６が一枚づつ介装される。
【００３０】
第四実施の形態に係る防炎敷き物Ａ４は、使用するとき中央の折り曲げ溝部９を挟んだ両側を広げるようにし、また使用しないで押入れ等に収納しておくときは二つ折りにする。このように収納するときはコンパクトにできることから、極めて至便である。
【００３１】
図１０は第五実施の形態に係る防炎敷き物を示すものである。この第五実施の形態に係る防炎敷き物Ａ５は、第四実施の形態に係る防炎敷き物Ａ４と同じ大きさからなり、二つ折りできるようになっている。また、第三実施の形態に係る防炎敷き物Ａ３と同様にカバー体１ｄの表・裏地２ｄ，３ｄをそれぞれ夏用又は冬用としてリバーシブルに使い分けできるようにしたものである。また、第三実施の形態に係る防炎敷き物Ａ３と同じクッション材６ｂが二枚使用される。そして、第三実施の形態に係る防炎敷き物Ａ３と同様にして使用され同等の機能を発揮する。すなわち、暑い夏でもまた寒い冬でも比較的快適に使用でき不快感を味わうようなことがなく、しかも使用しないでしまっておくときなどは、中央の折り曲げ溝部９で二つ折りにしてコンパクトにできることから、極めて至便である。
【００３２】
図示は省略するが、前記第一乃至第五実施の形態に係る防炎敷き物Ａ１〜Ａ５にあっては、落下した線香ＳまたはろうそくＲがこれら防炎敷き物Ａ１〜Ａ５の上面から畳Ｆの上面に転がり落ちないように、使用される場合、上側となる例えば表地２，２ａ，２ｂ，２ｃ，２ｄまたは裏地３，３ｂ，３ｃ，３ｄの上面全体に防炎機能を有する弾力性のあるゴム製の凸部を無数設けるかまたはその周縁に同じゴム製からなる畝状の突条部を周設するようにすることが好ましい。同様に、表地２，２ａ，２ｂ，２ｃ，２ｄまたは裏地３，３ｂ，３ｃ，３ｄの上面に前記無数の凹凸部または突条部を設けない場合は、クロロプレンゴム７の一側面全体に無数の凸部を設けるかまたはその周縁に畝状の突条部を周設し、その無数の凸部または突条部を設けた面を上側にして使用することが好ましい。
【００３３】
また、第一乃至第五実施の形態にあっては、表地２，２ａ，２ｂ，２ｃ，２ｄ又は裏地３，３ａ，３ｂ，３ｃ，３ｄが汚れれば、中のクッション材６，６ａ，６ｂを取り出し、カバー体１，１ａ，１ｂ，１ｃ，１ｄのみを洗濯にかけるようにすれば、簡単に綺麗になる。
【００３４】
図１１乃至図１３は、第六実施の形態に係る防炎敷き物Ａ６を示すもので、例えば縦１２００ｍｍ、横９００ｍｍの方形状に成形される。第六実施の形態に係る防炎敷き物Ａ６は、図１２に示すように表地２ｅとクッション材６ｅと裏地材１１とからなる。第一実施の形態と同じく、クッション材６ｅは所定の厚みとして２ｍｍ〜３ｍｍの厚さを有するクロロプレンゴム板７から成形される。表地２ｅは、１００％ポリエステルの朱子織り生地からなり、クッション材６ｅよりも一回り大きく成形されている。また、この表地２ｅは防炎処理が施されている。すなわち、前記朱子織り生地を防炎処理剤中に漬け、取り出してから絞り、更に、１３０℃で３分間乾燥させると共にその後１８０℃で１分間養生させる。裏地材１１は、三酸化アンチモンを数％混入したクッション性を有する軟質塩化ビニルシートからなり防炎処理が施され、前記クッション材６ｅよりも一回り小さく成形されている。
【００３５】
そして、図１３に示すようにクッション材６ｅの表面に該表面を覆うように表地２ｅを重着する。その表地２ｅの周縁部１０は、クッション材６ｅの裏面側へ折り曲げると共にその裏面に接着剤または粘着テープ（図示せず。）により接着させる。次に、前記折り曲げられた表地２ｅの周縁部１０に接着剤を塗布しまたは粘着テープを貼り、クッション材６ｅの裏面に該クッション材６ｅが隠れるようにして裏地材１１を重着する。
【００３６】
このように成形される第六実施の形態に係る防炎敷き物Ａ６も第一実施の形態に係る防炎敷き物Ａ１と同様にして使用でき、しかも、同様な効果を発揮する。また、第六実施の形態に係る防炎敷き物Ａ６は、表地２ｅとクッション材６ｅと裏地材１１とを重ね合わせたという簡単な構成であるから、成形が簡単であって製作コストが低廉になし得る。
【００３７】
図１４は第七実施の形態に係る防炎敷き物Ａ７を示し、第六実施の形態に係る防炎敷き物Ａ６と構成がほとんど同じなので、同一部位は同一番号を付すことにより詳しい説明は省略する。この防炎敷き物Ａ７は、クロロプレンゴム板７の裏面に同じ大きさであって５０μの厚さを有するアルミニウム板または銅板からなるの金属製の薄板１２を貼着するようにしている。これにより、延焼が防がれ火災発生の予防効果が向上する。また、図示は省略するが、前記表地２ｅの外側にさらに本実施の形態と同様な防炎処理の施された金襴織物からなる飾り表地を重着させるようにしても良い。これにより、防炎敷き物Ａ７が豪華に見られ、商品価値が高められる。
【００３８】
これらの場合も前記防炎敷き物Ａ１〜Ａ５と同様に、落下した線香ＳまたはろうそくＲが防炎敷き物Ａ６，Ａ７の上面から畳Ｆの上面に転がり落ちないように、表地２ｅの上面全体に防炎機能を有する弾力性のあるゴム製の凸部を無数設けるか、または、その周縁に同じゴム製からなる畝状の突条部を周設するようにすることが好ましい。同様に、表地２ｅの上面に前記無数の凹凸部または突条部を設けない場合は、クロロプレンゴム７の一側面全体に無数の凸部を設けるかまたはその周縁に畝状の突条部を周設し、その無数の凸部または突条部を設けた面を上側にして使用することが好ましい。
【００３９】
図１５乃至図１７は、第八実施の形態に係る防炎敷き物Ａ８を示すもので、例えば敷き布団といった寝具の上面に敷いて、寝タバコによる火災事故を予防するためのものである。この防炎敷き物Ａ８は、表地２ｆと裏地３ｆとから成形される袋状のカバー体１ｆと該カバー体１ｆ内に収納されるクッション材６ｆとからなる。カバー体１ｆは、例えば綿織物が使用され、縦９００ｍｍ、横１２００ｍｍの方形状に成形される。また、カバー体１ｆの一側縁（カバー体１ｆの短手方向の一側縁）である上側縁に出入口１３が開設され、前記表地２ｆの出入口１３側は該出入口１３よりも外側へ延出して折返し部１４が成形されている。この場合も、このカバー体１ｆは、前記のように防炎処理剤の中に浸漬して防炎処理が施される。
【００４０】
クッション材６ｆは、所定の厚みとして例えば５ｍｍの厚さを有するクロロプレンゴム板７から成形され、カバー体１ｆよりも一回り小さく成形されている。そして、
図１６に示すように前記クッション材６ｆを出入口１３を介しカバー体１ｆ内に収納し、この状態で図１５に示すように表地２ｆの折返し部１４をカバー体１ｆの裏側、すなわち裏地３ｆ側へ折り曲げる。
【００４１】
第八実施の形態に係る防炎敷き物Ａ８は、図１７に示すように出入口１３側を上にして敷布団１５上面のほぼ上半部位に配置され、更に、その上に枕１６を載せる。この状態で就寝するわけであるが、寝る前に一服のタバコを吸ってそのまま寝入ってしまい、誤って火の付いたタバコを防炎敷き物Ａ８の上面に落としてしまった場合でも、燃え広がるのを防ぎ火災の発生を予防できる。
【００４２】
この実施の形態では、クッション材６ｆとして厚さ５ｍｍのクロロプレンゴム板７を使用したが、通常、このクロロプレンゴム板７は高価である。そこで、図示は省略するが、例えば、クロロプレンゴム板７を厚さ２〜３ｍｍとし、その裏面に第六実施の形態で示した裏地材１１であって厚さ２ｍｍのものを同じ大きさに貼り合わせるようにする。この裏地材１１は、前記のように三酸化アンチモンを数％混入したクッション性を有する軟質塩化ビニルシートからなり防炎処理が施されている。このように、他の廉価なクッション性を有する素材を貼り合わすことにより、クロロプレンゴム板７を薄くすることができて防炎敷き物Ａ８の製造コストが低廉になし得る。
【００４３】
図１８は、他の実施の形態に係るクッション材６ｇを示すものである。このクッション材６ｇは、クロロプレンゴム板７の表面にその周縁に沿って中央部を囲うように所定高さの突条部１７を設けるようにしたものである。この突条部１７は、前記裏地材１１と同じ素材が使用され、クロロプレンゴム板７の一側辺（クロロプレンゴム板７の短手方向の一側辺）側を除いた平面コ字状に連続して配置されており、粘着テープ（図示せず。）で接着される。この突条部１７は、幅２０ｍｍ、高さ１５ｍｍに設定され、防炎敷き物Ａ８の上面に落ちたタバコが乗り越えてその外側へ転げ落ちないようになっている。これにより、仮に、防炎敷き物Ａ８の上面に火の付いたままのタバコが落ちたとしても、前記突条部１７により防炎敷き物Ａ８から外に転げ落ちることが防止され、畳などの上面に落ちて畳を焦し、または、火災を発生させるといった事故を予防できる。
【図面の簡単な説明】
【００４４】
【図１】第一実施の形態に係る防炎敷き物の斜視図。
【図２】同防炎敷き物の側面断面図。
【図３】同クッション材の一部の拡大斜視図。
【図４】同防炎敷き物の使用状態を示す斜視図。
【図５】第二実施の形態に係る防炎敷き物の側面断面図。
【図６】同クッション材の一部の切欠拡大斜視図。
【図７】（イ）は第三実施の形態に係る防炎敷き物の表側から見た斜視図、（ロ）は同防炎敷き物の裏側から見た斜視図。
【図８】同クッション材の一部の切欠拡大斜視図。
【図９】第四実施の形態に係る防炎敷き物の斜視図。
【図１０】第五実施の形態に係る防炎敷き物の斜視図。
【図１１】第六実施の形態に係る防炎敷き物の斜視図。
【図１２】同防炎敷き物の一部切欠拡大斜視図。
【図１３】同防炎敷き物の側面断面図。
【図１４】第七実施の形態に係る防炎敷き物の一部切欠拡大斜視図。
【図１５】第八実施の形態に係る防炎敷き物の斜視図。
【図１６】同分解斜視図。
【図１７】同使用状態を示す側面断面図。
【図１８】（イ）は第八実施の形態における他のクッション材の斜視図、（ロ）は同側面断面図。
【符号の説明】
【００４５】
１，１ａ，１ｂ，１ｃ，１ｄ，１ｆ        カバー体
２，２ａ，２ｂ，２ｃ，２ｄ，２ｅ，２ｆ  表地
３，３ａ，３ｂ，３ｃ，３ｄ，３ｆ        裏地
４                                      開閉手段（ファスナー）
５                                      出入口
６，６ａ，６ｂ，６ｅ，６ｆ，６ｇ        クッション材
７                                      クロロプレンゴム板
８                                      金属製の薄板
１１                                    裏地材
１２                                    金属製の薄板
１３                                    出入口
１４                                    折返し部
１７                                    突条部
Ａ１                                    第一実施の形態に係る防炎敷き物
Ａ２                                    第二実施の形態に係る防炎敷き物
Ａ３                                    第三実施の形態に係る防炎敷き物
Ａ４                                    第四実施の形態に係る防炎敷き物
Ａ５                                    第五実施の形態に係る防炎敷き物
Ａ６                                    第六実施の形態に係る防炎敷き物
Ａ７                                    第七実施の形態に係る防炎敷き物
Ａ８                                    第八実施の形態に係る防炎敷き物
【図１】
2005058747.tif 000003
【図２】
2005058747.tif 000004
【図３】
2005058747.tif 000005
【図４】
2005058747.tif 000006
【図５】
2005058747.tif 000007
【図６】
2005058747.tif 000008
【図７】
2005058747.tif 000009
【図８】
2005058747.tif 000010
【図９】
2005058747.tif 000011
【図１０】
2005058747.tif 000012
【図１１】
2005058747.tif 000013
【図１２】
2005058747.tif 000014
【図１３】
2005058747.tif 000015
【図１４】
2005058747.tif 000016
【図１５】
2005058747.tif 000017
【図１６】
2005058747.tif 000018
【図１７】
2005058747.tif 000019
【図１８】
2005058747.tif 000020